(57)【要約】      （修正有）【課題】簡便に設置できるとともに安定的に電気接続を提供できるコネクタ装置および支持装置を提供する。【解決手段】給電部１０に接続される給電コネクタ部２と、電気機器に接続される受電コネクタ部３とを互いに分離して形成し、給電端子の一端は、第一ハウジング２０の鉛直方向Ｙの上側Ｙ１において露出して形成され、他端２３２、２４２は、給電部１０と接続され、受電端子の一端は、第二ハウジング３０の鉛直方向Ｙの下側Ｙ２において露出して形成され、他端３３２、３４２は、電気機器に接続され、給電コネクタ部２上に受電コネクタ部３を設置させ、受電コネクタ部３には電気機器の荷重が付加され、給電コネクタ部２の給電端子と、受電コネクタ部３の受電端子とが当接して接触させる。【選択図】図１
2019016473.tif 000002
【特許請求の範囲】
【請求項１】
給電部に接続される給電コネクタ部と、電気機器に接続される受電コネクタ部とを備えたコネクタ装置であって、
前記給電コネクタ部と、前記受電コネクタ部とは分離して形成され、
前記給電コネクタ部は、第一ハウジングに埋設された一対の給電端子を有し、
前記一対の給電端子の一端は、前記第一ハウジングの鉛直方向の上側において露出して形成され、他端は、前記給電部と接続され、
前記受電コネクタ部は、第二ハウジングに埋設された一対の受電端子を有し、
前記一対の受電端子の一端は、前記第二ハウジングの鉛直方向の下側において露出して形成され、他端は、前記電気機器に接続され、かつ、前記第二ハウジングは前記第一ハウジングと相反する側から前記電気機器の荷重を受け、
前記給電コネクタ部上に前記受電コネクタ部を設置させ、前記受電コネクタ部には前記電気機器の荷重が付加され、前記給電コネクタ部の前記一対の給電端子と、前記受電コネクタ部の前記一対の受電端子とが当接して接触させるコネクタ装置。
【請求項２】
前記第一ハウジングの前記第二ハウジングと対向する面上には、第一凸部または第一凹部が形成され、
前記第二ハウジングの前記第一ハウジングと対向する面上には、前記第一凸部または第一凹部と対向する箇所に第二凹部または第二凸部が形成され、
前記給電コネクタ部上に前記受電コネクタ部を設置させ、前記第一凸部または前記第一凹部が前記第二凹部または前記第二凸部に挿入させる請求項１に記載のコネクタ装置。
【請求項３】
前記第一ハウジングの前記第二ハウジングと対向する面上には、第一磁石部または第一磁性体部が形成され、
前記第二ハウジングの前記第一ハウジングと対向する面上には、前記第一磁石部または前記第一磁性体部と対向する箇所に第二磁石部または第二磁性体部が形成され、
前記給電コネクタ部上に前記受電コネクタ部を設置させ、前記第一磁石部または前記第一磁性体部と前記第二磁性体部または前記第二磁石部とが磁力により吸着させる請求項１または請求項２に記載のコネクタ装置。
【請求項４】
一対の前記給電端子は、前記第一ハウジングの前記第二ハウジングと対向する面に形成された一対の開口部と、一対の前記開口部内に設置された導電性の一対の弾性部を有し、
一対の前記受電端子は、前記第二ハウジングの前記第一ハウジングと対向する面には一対の前記開口部と対向する箇所に一対の第三凸部が形成され、
前記給電コネクタ部上に前記受電コネクタ部を設置させ、一対の前記弾性部を一対の前記第三凸部が押圧して接触させる請求項１から請求項３のいずれか１項に記載のコネクタ装置。
【請求項５】
一対の前記給電端子は、前記第一ハウジングの前記第二ハウジングと対向する面に一対の第三凸部が形成され、
一対の前記受電端子は、前記第二ハウジングの前記第一ハウジングと対向する面には一対の前記第三凸部と対向する箇所に形成された一対の開口部と、一対の前記開口部内に設置された導電性の一対の弾性部を有し、
前記給電コネクタ部上に前記受電コネクタ部を設置させ、一対の前記第三凸部が一対の前記弾性部を押圧して接触させる請求項１から請求項３のいずれか１項に記載のコネクタ装置。
【請求項６】
前記第一ハウジングおよび前記第二ハウジングは、直方体にて形成され、
前記第一ハウジングには前記電気機器の荷重を支持する支持部が形成される請求項１から請求項５のいずれか１項に記載のコネクタ装置。
【請求項７】
前記給電部は、鉛直方向に延在する給電線部にて構成され、
前記給電コネクタ部は、前記給電部の鉛直方向のいずれかの位置に着脱自在に設置される請求項１から請求項６のいずれか１項に記載のコネクタ装置。
【請求項８】
固定開口部が形成された固定具と、
前記固定開口部に着脱自在に取り付けられる支持具と、
前記支持具に固着され荷重を支持する受け具とを備え、
前記固定具は、前記固定開口部の開口側と反対側に外部から電源を送電する配線部を有し、
前記支持具は、前記固定具に装着した際の開口側と反対側に、前記配線部に接触して前記固定具の前記固定開口部の開口側から外部に電源を引き出す電源部を有する支持装置であって、
請求項１から請求項７のいずれか１項に記載のコネクタ装置は、前記受け具として構成され、前記コネクタ装置の前記給電部は、前記支持具の前記電源部とし、
前記給電コネクタ部は前記支持具に固定され、前記受け具が支持する荷重は前記電気機器である支持装置。
【請求項９】
前記固定具を一対有し、
一対の前記固定具の前記固定開口部は、高さ方向において同一箇所に形成され、
一対の前記固定具の高さ方向において同一箇所に形成され一対の前記固定開口部に挿入される一対の前記支持具を有し、
一対の前記支持具の一対の前記受け具は、少なくとも一方の前記受け具が前記コネクタ装置で形成され、一対の前記受け具を跨がる荷重としての前記電気機器を支持する請求項８に記載の支持装置。
【発明の詳細な説明】
【技術分野】
【０００１】
この発明は、簡便に設置できるとともに安定的に電気接続を確保できるコネクタ装置および支持装置に関するものである。
【背景技術】
【０００２】
従来のコネクタ装置を備えた照明装置は、棚板を相手方部材へ取り付けるためのダボを導電材料で形成して電源側へ接続し、棚板に前記ダボに対応する凹部を形成するとともに、棚板に取り付けた照明器具としての発光ダイオードの配線を前記凹部へ導出して電気的な接点を形成する（例えば、特許文献１参照）。
【先行技術文献】
【特許文献】
【０００３】
【特許文献１】特開２００１−２５０４２０号公報
【発明の概要】
【発明が解決しようとする課題】
【０００４】
従来のコネクタ装置を備えた照明装置は、ダボおよびダボに対応する凹部にて、コネクタを形成し、簡便に設置できるものの、このような構成では、安定的に電気接続を確保することが困難であるという問題点があった。
【０００５】
この発明は上記のような課題を解決するためになされたものであり、簡便に設置できるとともに安定的に電気接続を確保できるコネクタ装置および支持装置を提供することを目的とする。
【課題を解決するための手段】
【０００６】
この発明のコネクタ装置は、
給電部に接続される給電コネクタ部と、電気機器に接続される受電コネクタ部とを備えたコネクタ装置であって、
前記給電コネクタ部と、前記受電コネクタ部とは分離して形成され、
前記給電コネクタ部は、第一ハウジングに埋設された一対の給電端子を有し、
前記一対の給電端子の一端は、前記第一ハウジングの鉛直方向の上側において露出して形成され、他端は、前記給電部と接続され、
前記受電コネクタ部は、第二ハウジングに埋設された一対の受電端子を有し、
前記一対の受電端子の一端は、前記第二ハウジングの鉛直方向の下側において露出して形成され、他端は、前記電気機器に接続され、かつ、前記第二ハウジングは前記第一ハウジングと相反する側から前記電気機器の荷重を受け、
前記給電コネクタ部上に前記受電コネクタ部を設置させ、前記受電コネクタ部には前記電気機器の荷重が付加され、前記給電コネクタ部の前記一対の給電端子と、前記受電コネクタ部の前記一対の受電端子とが当接して接触させるものである。
【０００７】
また、この発明の支持装置は、
固定開口部が形成された固定具と、
前記固定開口部に着脱自在に取り付けられる支持具と、
前記支持具に固着され荷重を支持する受け具とを備え、
前記固定具は、前記固定開口部の開口側と反対側に外部から電源を送電する配線部を有し、
前記支持具は、前記固定具に装着した際の開口側と反対側に、前記配線部に接触して前記固定具の前記固定開口部の開口側から外部に電源を引き出す電源部を有する支持装置であって、
上記に記載のコネクタ装置は、前記受け具として構成され、前記コネクタ装置の前記給電部は、前記支持具の前記電源部とし、
前記給電コネクタ部は前記支持具に固定され、前記受け具が支持する荷重は前記電気機器である。
【発明の効果】
【０００８】
この発明のコネクタ装置および支持装置によれば、
簡便に設置できるとともに安定的に電気接続を確保できる。
【図面の簡単な説明】
【０００９】
【図１】この発明の実施の形態１のコネクタ装置および支持具の構成を示す斜視図である。
【図２】図１に示したコネクタ装置および支持具の構成を示す分解斜視図である。
【図３】図１に示したコネクタ装置および支持具の構成を示す側面図である。
【図４】図１に示したコネクタ装置および支持具を支持装置に設置した状態を示す図である。
【図５】図１に示したコネクタ装置の給電コネクタ部の構成を示す図である。
【図６】図１に示したコネクタ装置の給電コネクタ部の構成を示す図である。
【図７】図１に示したコネクタ装置の給電コネクタ部の構成を示す断面図である。
【図８】図１に示したコネクタ装置の受電コネクタ部の構成を示す図である。
【図９】図１に示したコネクタ装置の受電コネクタ部の構成を示す図である。
【図１０】図１に示したコネクタ装置の受電コネクタ部の構成を示す断面図である。
【図１１】図１に示したコネクタ装置および支持具の使用例および電気機器を示す斜視図である。
【図１２】図１１に示したコネクタ装置、支持具および電気機器の使用例および支持装置を示す斜視図である。
【図１３】図１に示したコネクタ装置および支持具の使用例および電気機器の他の例を示す斜視図である。
【発明を実施するための形態】
【００１０】
実施の形態１．
以下、本願発明の実施の形態について説明する。図１はこの発明の実施の形態１のコネクタ装置および支持具の構成を示す斜視図である。図２は図１に示したコネクタ装置および支持具の構成を示す分解斜視図である。図３は図１に示したコネクタ装置および支持具の構成を示す側面図である。図４は図１に示したコネクタ装置および支持具を支持装置に設置した状態を示す図である。
【００１１】
図５から図７は図１に示したコネクタ装置の給電コネクタ部の構成を示す図である。図５（Ａ）は給電コネクタ部の正面図である。図５（Ｂ）は給電コネクタ部の平面図である。図５（Ｃ）は給電コネクタ部の背面図である。図６（Ａ）は給電コネクタ部の底面図である。図６（Ｂ）は給電コネクタ部の右側面図である。図６（Ｃ）は給電コネクタ部の左側面図である。図７（Ａ）は給電コネクタ部の図５（Ｂ）のＱ−Ｑ線における断面図である。図７（Ｂ）は給電コネクタ部の図５（Ｂ）のＰ−Ｐ線における断面図である。
【００１２】
図８から図１０は図１に示したコネクタ装置の受電コネクタ部の構成を示す図である。図８（Ａ）は受電コネクタ部の正面図である。図８（Ｂ）は受電コネクタ部の平面図である。図８（Ｃ）は受電コネクタ部の背面図である。図９（Ａ）は受電コネクタ部の底面図である。図９（Ｂ）は受電コネクタ部の右側面図である。図９（Ｃ）は受電コネクタ部の左側面図である。図１０（Ａ）は受電コネクタ部の図８（Ｂ）のＲ−Ｒ線における断面図である。図１０（Ｂ）は受電コネクタ部の図８（Ｂ）のＳ−Ｓ線における断面図である。
【００１３】
図１１は図１に示したコネクタ装置および支持具の使用例および電気機器を示す斜視図である。図１２は図１１に示したコネクタ装置、支持具、電気機器の使用例および支持装置を示す斜視図である。図１３は図１に示したコネクタ装置および支持具の使用例および電気機器の他の例を示す斜視図である。各図において、各部品の、鉛直方向をＹ、上側をＹ１、下側をＹ２として示し、さらに、各部品の長手方向をＸ、短手方向をＺ、開口側をＺ１、反対側をＺ２としてそれぞれ示す。
【００１４】
図１および図２を用いてコネクタ装置１の構成について説明する。コネクタ装置１は、給電部１０に接続される給電コネクタ部２と、電気機器１１に接続される受電コネクタ部３とから構成される。給電コネクタ部２と、受電コネクタ部３とは図２に示すように分離可能に形成される。給電コネクタ部２に接続される給電部１０は支持具４に設置されている。支持具４および電気機器１１については後述にて説明する。コネクタ装置１は、給電コネクタ部２上に受電コネクタ部３を設置させて利用するものである。
【００１５】
給電コネクタ部２は、第一ハウジング２０にて形成される。受電コネクタ部３は、第二ハウジング３０にて形成される。第一ハウジング２０および第二ハウジング３０は、直方体の絶縁性を有する例えばプラスチックにて、例えば箱状にて形成される。第一ハウジング２０は、第二ハウジング３０と対向する側、すなわち鉛直方向Ｙの上側Ｙ１を上面２１とし、第二ハウジング３０と相反する側、すなわち鉛直方向Ｙの下側Ｙ２を下面２２とする。第二ハウジング３０は、第一ハウジング２０と相反する側、すなわち鉛直方向Ｙの上側Ｙ１を上面３１とし、第一ハウジング２０と対向する側、すなわち鉛直方向Ｙの下側Ｙ２を下面３２とする。第二ハウジング３０は、上面３１にて電気機器１１の荷重を受ける。
【００１６】
この例における、コネクタ装置１の大きさの具体例について説明する。図１（Ｂ）に示すように、コネクタ装置１の長手方向Ｘの長さＷ１は、５４ｍｍ、短手方向Ｚの長さＷ２は、２０ｍｍ、鉛直方向Ｙの長さＷ３は、１５ｍｍである。また、第一ハウジング２０の鉛直方向Ｙの長さＷ４は、８ｍｍ、第二ハウジング３０の鉛直方向Ｙの長さＷ５は、７ｍｍである。尚、この大きさは一例であり、適宜変更される。
【００１７】
次に、図５、図６および図７を用いて、給電コネクタ部２の構成について説明する。第一ハウジング２０は、一対の給電端子２３、２４を埋設している。一対の給電端子２３、２４の一端２３１、２４１は、第一ハウジング２０の上面２１において露出する。一対の給電端子２３、２４の他端２３２、２４２は、給電部１０に接続される。一対の給電端子２３、２４は、第一ハウジング２０の上面２１に形成された一対の開口部２３３、２４３と、一対の開口部２３３、２４３内に設置された導電性の一対の弾性部２３４、２４４とを備える。
【００１８】
一対の弾性部２３４、２４４は、例えばバネ材にて構成される。よって、ここでは弾性部２３４、２４４の第二ハウジング３０と対向する側が、給電端子２３、２４の一端２３１、２４１となる。また、他端２３２、２４２は弾性部２３４、２４４に接続された導電線の一部にて形成される。さらに、第一ハウジング２０の上面２１上には、第一ハウジング２０の上面２１の長手方向Ｘの両端付近で、一対の給電端子２３、２４より外側にそれぞれ第一凸部２５、２６が形成される。第一凸部２５、２６は、第一ハウジング２０の上面２１より、鉛直方向Ｙの上側Ｙ１に突出して形成される。第一凸部２５、２６は、第一ハウジング２０の下面２２にねじ２５１、２６１にてねじ止めにて設置される。
【００１９】
さらに、第一ハウジング２０の上面２１上には、第一ハウジング２０の上面２１の長手方向Ｘの中央部で、一対の給電端子２３、２４の間に第一磁性体部２７が形成される。第一磁性体部２７は、第一ハウジング２０の上面２１より、鉛直方向Ｙの上側Ｙ１に突出して形成される。但し、第一磁性体部２７の突出量は、第一凸部２５、２６の突出量より小さく形成される。第一磁性体部２７は、例えばスチール材にて形成される。
【００２０】
次に、図８、図９および図１０を用いて、受電コネクタ部３の構成について説明する。第二ハウジング３０は、一対の受電端子３３、３４を埋設している。一対の受電端子３３、３４の一端３３１、３４１は、第二ハウジング３０の下面３２において露出する。一対の受電端子３３、３４の他端３３２、３４２は、電気機器１１に接続される。一対の受電端子３３、３４は、第二ハウジング３０の下面３２の、給電コネクタ部２の一対の開口部２３３、２４３と対向する箇所に、一対の第三凸部３３３、３４３にて形成される。
【００２１】
第三凸部３３３、３４３は、第二ハウジング３０の下面３２より、鉛直方向Ｙの下側Ｙ２に突出して形成される。よって、ここでは第三凸部３３３、３４３の第一ハウジング２０と対向する側が、受電端子３３、３４の一端３３１、３４１となる。また、他端３３２、３４２は第三凸部３３３、３４３に接続された導電線の一部にて形成される。さらに、第二ハウジング３０の下面３２上には、給電コネクタ部２の第一凸部２５、２６と対向する箇所に第二凹部３５、３６がそれぞれ形成される。さらに、第二ハウジング３０の下面３２上には、給電コネクタ部２側の第一磁性体部２７と対向する箇所に第二磁石部３７が設置される。
【００２２】
給電コネクタ部２と受電コネクタ部３とは上記に示したように形成されているため、給電コネクタ部２上に、受電コネクタ部３を設置すると、受電コネクタ部３には電気機器１１の荷重が付加された状態となる。そして、給電コネクタ部２の一対の給電端子２３、２４と、受電コネクタ部３の一対の受電端子３３、３４とが当接して接触する。すなわち、一対の受電端子３３、３４である一対の第三凸部３３３、３４３が、一対の給電端子２３、２４である一対の弾性部２３４、２４１を押圧して接触する。さらに、第一凸部２５、２６が第二凹部３５、３６にそれぞれ挿入する。さらに、第一磁性体部２７と第二磁石部３７とが磁力により吸着する。
【００２３】
次に、図１から図３を用いて、支持具４の構成について説明する。支持具４は、支持板４０と給電部１０とを備えている。支持板４０には、給電コネクタ部２の下面２２がねじ４０１、４０２にてねじ止めして設置される。これにより、コネクタ装置１は支持具４に支持される。そして、給電コネクタ部２の一対の給電端子２３、２４の他端２３２、２４２は支持具４の給電部１０に接続される。よって、給電端子２３、２４は給電部１０から給電される。そして、給電端子２３、２４の一端２３１、２４１から、受電コネクタ部３の受電端子３３、３４の一端３３１、３４１、そして他端３３２、３４２を通じて、電気機器１１に受電される。
【００２４】
次に、支持具４を備えた支持装置１００について図４を交えて説明する。尚、当該支持装置１００は、本出願人が出願した、国際特許出願番号“ＰＣＴ／ＪＰ２０１６／８３５２６”に示した支持装置１００を用いた例にて説明する。支持装置１００は固定具５と、支持具４と、受け具１とから構成される。固定具５および支持具４は、例えばステンレス材にて形成する。固定具５は、一対の側面板部７、８と、チップ部６とにて構成される。一対の側面板部７、８は床１２上に鉛直方向Ｙに設置される。そして複数のチップ部６が一対の側面板部７、８の間であって、鉛直方向Ｙに所定の間隔を隔てて設置される。鉛直方向Ｙのチップ部６間に複数の固定開口部５０が形成される。支持具４は、固定開口部５０に着脱自在に取り付けられる。受け具１は、支持具４に固着され荷重を支持する。このように構成された支持装置１００における当該受け具１が、先に示したコネクタ装置１にて構成される。
【００２５】
固定具５は、固定開口部５０の反対側Ｚ２に鉛直方向Ｙに延在して形成された配線部９を有する。配線部９は、外部電源１３に接続されている。よって、配線部９は、給電部１０の鉛直方向Ｙに延在する給電線部９として機能する。支持具４を開口側Ｚ１から反対側Ｚ２に挿入して固定具５に装着した際、支持具４の電源部１０は、配線部９に接触して固定具５の固定開口部５０の開口側Ｚ１から外部に電源を引き出す。よって、受け具１であるコネクタ装置１の給電部１０は、支持具４の電源部１０となる。また、受け具１の荷重は、コネクタ装置１の荷重である電気機器１１となる。
【００２６】
電気機器１１は、様々な例が考えられる。ここでは一例として、図１１に示したように、電気機器１１はＬＥＤ部１４を備えた棚板１５にて構成される。すなわち、当該電気機器１１は照明装置を有する棚板であり、例えば、商品のディスプレイなどに利用される。そして、当該電気機器１１のＬＥＤ部１４に給電するために受電コネクタ部３が棚板１５に設置される。そして、受電コネクタ部３の受電端子３３、３４の他端３３２、３４２がＬＥＤ部１４に接続される。また、第一ハウジング２０は棚板１５の荷重を支持するために、図１１に示したように、Ｌ字形状の支持部４１１を、長手方向Ｘにおいて、棚板１５と同一の長さを有して構成する。さらに、支持部４１１の長手方向Ｘの両端に、突起部４１を形成する。棚板１５の長手方向Ｘの両端に、当該突起部４１を挿入可能な穴部１６を形成する。
【００２７】
このようにコネクタ装置１の受電コネクタ部３が電気機器１１の棚板１５に設置され、給電コネクタ部２は支持装置１００の支持具４に固定される。よって、電気機器１１と支持具４とを別々に持ち運びおよび収納ができる。図１１に示した棚板１５の構成であれば、電気を取得するための特別な突起物などが存在しないため、故障や破損などの心配がなく、持ち運びおよび収納が容易となる。また、給電コネクタ部２が固定された支持具４の大きさは棚板１５より小さいため、持ち運びおよび収納に優れている。
【００２８】
上記に示したような電気機器１１としての棚板１５を設置する場合、一対の固定具５を図１２に示すように、一対の壁面部１７に設置する。一対の壁面部１７は１枚の壁面部１８の図面上の左右方向に間隔を隔てて設置される。一対の固定具５の固定開口部５０は、高さ方向である鉛直方向Ｙにおいて同一箇所に形成される。一対の固定具５の鉛直方向Ｙにおいて同一箇所に形成され一対の固定開口部５０に一対の支持具４が挿入される。そして一対の支持具４にはそれぞれ受け具１が設置される。
【００２９】
一方の受け具１はコネクタ装置１で形成される。他方の受け具１はコネクタ装置で形成されていない。尚、ここでは当該他方の受け具を一方の受け具１（コネクタ装置１）と区別するために、他方の受け具１１１として示す。よって、他方の受け具１１１には受け具１と同様に、支持具４、支持部４１１、および突起部４１をそれぞれ備える。そして、受け具１（コネクタ装置１）と、他方の受け具１１１とをまたがる荷重としての電気機器１１の棚板１５が設置される。また、給電コネクタ部２は、支持具４を鉛直方向Ｙの固定開口部５０のいずれかの位置に着脱することにより、鉛直方向Ｙの所望の箇所に自在に設置可能となる。
【００３０】
上記のように構成された実施の形態１のコネクタ装置１について説明する。給電コネクタ部２の一対の給電端子２３、２４の他端２３２、２４２が、給電部１０に接続されているため、給電部１０から一対の給電端子２３、２４に給電される。そして、給電コネクタ部２上に受電コネクタ部３を設置する。この際、給電コネクタ部２の第一凸部２５、２６が受電コネクタ部３の第二凹部３５、３６に挿入され、給電コネクタ部２と受電コネクタ部３との位置決めが確実となる。さらに、給電コネクタ部２の第一磁性体部２７と、受電コネクタ部３の第二磁石部３７とが磁力により吸着し、給電コネクタ部２と受電コネクタ部３との位置決めがさらに確実となる。
【００３１】
そして、一対の受電端子３３、３４である一対の第三凸部３３３、３４３が一対の開口部２３３、２４３に挿入されるとともに、一対の第三凸部３３３、３４３が一対の開口部２３３、２４３内に設置された一対の弾性部２３４、２４４を押圧して接触する。よって給電コネクタ部２の一対の給電端子２３、２４の一端２３１、２４２と、受電コネクタ部３の一対の受電端子３３、３４の一端３３１、３４１とが接触する。この際、一対の受電端子３３、３４である一対の第三凸部３３３、３４３が一対の開口部２３３、２４３に挿入されるため、給電コネクタ部２と受電コネクタ部３との位置決めがさらに確実となるとともに、一対の給電端子２３、２４と一対の受電端子３３、３４との接続が確実となる。さらに、一対の第三凸部３３３、３４３が一対の開口部２３３、２４３内に設置された一対の弾性部２３４、２４４を押圧して接触するため、一対の給電端子２３、２４と一対の受電端子３３、３４との接続がさらに確実となる。
【００３２】
このようにして、一対の給電端子２３、２４の一端２３１、２４２から、受電コネクタ部３の一対の受電端子３３、３４の一端３３１、３４１に受電される。そして、受電コネクタ部３の一対の受電端子３３、３４の他端３３２、３４２が電気機器１１に接続されているため、当該電気機器１１に受電される。
【００３３】
また、このようなコネクタ装置１にて電気が給電される電気機器１１が、壁面部１７などに設置する棚板１５から構成されている場合には、上記に示した支持装置１００を用いることが考えられる。コネクタ装置１の給電コネクタ部２を支持装置１００の支持具４に設置し、受電コネクタ部３を電気機器１１に設置する。そして、図１２に示したように、一対の固定具５の所望の箇所の固定開口部５０にコネクタ装置１が設置されている支持具４と、他方の受け具１１１が設置されている支持具４とをそれぞれを設置する。次に、給電コネクタ部２上に受電コネクタ部３を備えた電気機器１１を設置する。また、他方の受け具１１１にも電気機器１１の他方側が設置される。この際、電気機器１１の穴部１６に、支持部４１１の突起部４１を挿入し、電気機器１１の位置決めを確実にする。さらに、電気機器１１は支持部４１１によって支持される。よって、荷重の大きな電気機器１１にも対応できる。
【００３４】
電気機器１１は他の例も考えられる。上記電気機器１１では、棚板１５の図面上の左右の一対の壁面部１７に一対の固定具５をそれぞれ備える例を示したが、これに限られることはない。他の例として１枚の壁面部１８に支持装置１００を設置して、コネクタ装置１および電気機器１１を設置することも考えられる。その場合、図１３に示したように支持部４１１の長手方向Ｘの一端、すなわち、壁面部１８側に支持具４を形成し、給電コネクタ部２を設置する。また、棚板１５においても、長手方向Ｘの一端に受電コネクタ部３を設置する。また、他方の受け具１１１は、図１３に示したコネクタ装置１と同様に、支持具４、支持部４１１、および突起部４１を備える。そして、１枚の壁面部１８に一対の固定具５を図面上の左右に所定の間隔、すなわち、棚板１５の間隔を隔てて形成する。そして、当該一対の固定具５に支持具４をそれぞれ設置する。そして、棚板１５を支持具４にて支持し、上記に示した場合と同様に設置する。
【００３５】
上記のように構成された実施の形態１のコネクタ装置によれば、給電部に接続される給電コネクタ部と、電気機器に接続される受電コネクタ部とを備え、給電コネクタ部と、受電コネクタ部とは分離して形成され、給電コネクタ部は、一対の給電端子の一端は、第一ハウジングの鉛直方向の上側において露出して形成され、他端は、給電部と接続され、受電コネクタ部は、一対の受電端子の一端は、第二ハウジングの鉛直方向の下側において露出して形成され、他端は、電気機器に接続され、かつ、第二ハウジングの第一ハウジングと相反する側にて電気機器の荷重を受け、給電コネクタ部上に受電コネクタ部を設置させ、受電コネクタ部には電気機器の荷重が付加され、給電コネクタ部の一対の給電端子と、受電コネクタ部の一対の受電端子とが当接して接触させる。このように、給電コネクタ部上に受電コネクタ部を設置するのみの簡便な設置が可能となり、かつ、受電コネクタ部の電気機器の荷重の付加により、一対の給電端子と一対の受電端子の電気接続を良好に保持できる。
【００３６】
また、第一ハウジングの第二ハウジングと対向する面上には、第一凸部が形成され、第二ハウジングの第一ハウジングと対向する面上には、第一凸部対向する箇所に第二凹部が形成され、第一凸部が第二凹部に挿入させるため、受電コネクタ部と給電コネクタ部との設置が行い易くなるとともにずれを防止できるため、一対の給電端子と一対の受電端子の電気接続をさらに良好に保持できる。
【００３７】
また、第一ハウジングの第二ハウジングと対向する面上には、第一磁性体部が形成され、第二ハウジングの第一ハウジングと対向する面上には、第一磁性体部と対向する箇所に第二磁石部が形成され、第一磁性体部と第二磁石部とが磁力により吸着させるため、受電コネクタ部と給電コネクタ部との設置が行い安くなるとともにずれを防止できるため、一対の給電端子と一対の受電端子の電気接続をさらに良好に保持できる。
【００３８】
また、一対の給電端子は、第一ハウジングの第二ハウジングと対向する面に形成された一対の開口部と、一対の開口部内に設置された導電性の一対の弾性部を有し、一対の受電端子は、第二ハウジングの第一ハウジングと対向する面には一対の開口部と対向する箇所に一対の第三凸部が形成され、一対の弾性部を一対の第三凸部が押圧して接触させるため、一対の給電端子と一対の受電端子の電気接続をさらに良好に保持できる。
【００３９】
また、第一ハウジングおよび第二ハウジングは、直方体にて形成され、第一ハウジングには電気機器の荷重を支持する支持部が形成されるため、簡便な構成にて電気機器の荷重を支持できる。
【００４０】
給電部は、鉛直方向に延在する配線部にて構成され、給電コネクタ部は、給電部の鉛直方向のいずれかの位置に着脱自在に設置されるため、電気機器の設置の自由度が増す。
【００４１】
また、固定開口部が形成された固定具と、固定開口部に着脱自在に取り付けられる支持具と、支持具に固着され荷重を支持する受け具とを備え、固定具は、固定開口部の開口側と反対側に外部から電源を送電する配線部を有し、支持具は、固定具に装着した際の開口側と反対側に、配線部に接触して固定具の固定開口部の開口側から外部に電源を引き出す電源部を有する支持装置であって、コネクタ装置は、受け具として構成され、コネクタ装置の給電部は、支持具の電源部とし、給電コネクタ部は支持具に固定され、受け具が支持する荷重は電気機器であるため、支持装置に利用できるコネクタ装置を得ることができる。
【００４２】
また、固定具を一対有し、一対の固定具の固定開口部は、高さ方向において同一箇所に形成され、一対の固定具の高さ方向において同一箇所に形成され一対の固定開口部に挿入される一対の支持具を有し、一対の支持具の一対の受け具は、少なくとも一方の受け具がコネクタ装置で形成され、一対の受け具を跨がる荷重としての電気機器を支持するため、電気機器の荷重を一対の受け具に分散することができ、さらに荷重の大きな電気機器を支持できる。
【００４３】
尚、上記実施の形態１においては、第一ハウジングの第二ハウジングと対向する面上には、第一凸部を形成し、第二ハウジングの第一ハウジングと対向する面上には、第一凸部と対向する箇所に第二凹部を形成する例を示したが、これに限られることはなく、第一ハウジングの第二ハウジングと対向する面上には、第一凹部を形成し、第二ハウジングの第一ハウジングと対向する面上には、第一凹部と対向する箇所に第二凸部を形成する場合であっても上記実施の形態１と同様の効果を奏することができる。
【００４４】
さらに、上記実施の形態１においては、一対の第一凸部と一対の第二凹部とをそれぞれ形成する例を示したが、これに限られることはなく、１つの第一凸部と１つの第二凹部とにて形成する場合であっても、給電コネクタ部と受電コネクタ部とのずれ防止として機能する。
【００４５】
また、上記実施の形態１においては、第一ハウジングの第二ハウジングと対向する面上には、第一磁性体部を形成し、第二ハウジングの第一ハウジングと対向する面上には、第一磁性体部と対向する箇所に第二磁石部を形成する例を示したが、これに限られることはなく、第一ハウジングの第二ハウジングと対向する面上には、第一磁石部を形成し、第二ハウジングの第一ハウジングと対向する面上には、第一磁石部と対向する箇所に第二磁性体部を形成する場合であっても、上記実施の形態１と同様の効果を奏することができる。
【００４６】
また、上記実施の形態１とは逆に、一対の給電端子は、第一ハウジングの第二ハウジングと対向する面に一対の第三凸部が形成され、一対の受電端子は、第二ハウジングの第一ハウジングと対向する面には一対の第三凸部と対向する箇所に形成された一対の開口部と、一対の開口部内に設置された導電性の一対の弾性部を有し、給電コネクタ部上に受電コネクタ部を設置させ、一対の第三凸部が一対の弾性部を押圧して接触させるように構成しても、上記実施の形態１と同様の効果を奏することができる。
【００４７】
尚、本発明は、その発明の範囲内において、各実施の形態を自由に組み合わせたり、各実施の形態を適宜、変形、省略することが可能である。
【符号の説明】
【００４８】
１  コネクタ装置、１  受け具、２  給電コネクタ部、３  受電コネクタ部、
４  支持具、５  固定具、６  チップ部、７  側面板部、８  側面板部、９  配線部、
９  給電線部、１０  給電部、１０  電源部、１１  電気機器、１２  床、
１３  外部電源、１４  ＬＥＤ部、１５  棚板、１６  穴部、１７  壁面部、
２０  第一ハウジング、２１  上面、２２  下面、２３  給電端子、２４  給電端子、
２５  第一凸部、２６  第一凸部、２７  第一磁性体部、３０  第二ハウジング、
３１  上面、３２  下面、３３  受電端子、３４  受電端子、３５  第二凹部、
３６  第二凹部、３７  第二磁石部、４０  支持板、４１  突起部、５０  固定開口部、
１００  支持装置、１１１  他方の受け具、２３１  一端、２４１  一端、
２３２  他端、２３３  開口部、２３４  弾性部、２４２  他端、２４３  開口部、
２４４  弾性部、２５１  ねじ、２６１  ねじ、３３１  一端、３４１  一端、
３３２  他端、３４２  他端、３３３  第三凸部、３４３  第三凸部、４０１  ねじ、
４０２  ねじ、４１１  支持部、Ｘ  長手方向、Ｙ  鉛直方向、Ｙ１  上側、
Ｙ２  下側、Ｚ  短手方向、Ｚ１  開口側、Ｚ２  反対側。
【図１】
2019016473.tif 000003
【図２】
2019016473.tif 000004
【図３】
2019016473.tif 000005
【図４】
2019016473.tif 000006
【図５】
2019016473.tif 000007
【図６】
2019016473.tif 000008
【図７】
2019016473.tif 000009
【図８】
2019016473.tif 000010
【図９】
2019016473.tif 000011
【図１０】
2019016473.tif 000012
【図１１】
2019016473.tif 000013
【図１２】
2019016473.tif 000014
【図１３】
2019016473.tif 000015